(57)【特許請求の範囲】
【請求項１】
信号線を介して防災受信盤に複数の火災検知器が接続されている防災システムにおいて、
受光ガラスを介して、火災に基づく環境変化を検出する火災検出手段と；
上記受光ガラスの汚れ度合いを検出し、上記検出された汚れ度合いに応じたレベルを出力する汚れ検出手段と；
上記汚れ検出手段が出力したレベルを所定の閾値と比較し、上記汚れ検出手段が出力したレベルが上記所定の閾値よりも高いときに、汚れ警報信号を出力する比較手段と；
上記閾値が格納され、しかも上記格納されている閾値を変更することが可能な閾値設定手段と；
を有し、
上記閾値設定手段は、第１の閾値と、上記第１の閾値よりも低い第２の閾値とを格納してある手段であり、
上記比較手段は、上記汚れ度合いに応じたレベルが上記第１の閾値を越えているときに、汚れ警報信号を出力し、上記汚れ度合いに応じたレベルが、上記第２の閾値を超えしかも上記第１の閾値以下であるときに、汚れ予報信号を出力する手段であり、
また、上記閾値設定手段は、上記第１の閾値が固定的に格納され、上記第２の閾値を変更することが可能であり、上記防災受信盤に上記第２の閾値を変更する入力があるときに変更命令を受けて上記第２の閾値を格納することを特徴とする火災検知器。
【請求項２】
信号線を介して防災受信盤に複数の火災検知器が接続されている防災システムにおいて、
上記各火災検知器は、
火災に基づく情報を検出する火災検出手段と；
受光ガラスの汚れ度合いを検出する汚れ検出手段と；
トンネルの長さ方向に沿って、上記各火災検知器に順番に個別に設定されているアドレスを格納するアドレス格納手段と；
を有し、
上記防災受信盤は、
上記アドレスに基づいて上記各火災検知器を個別に識別するとともに、上記各火災検知器から火災に基づく情報を収集する火災情報収集手段と；
上記各火災検知器から、上記受光ガラスの汚れに基づく情報を収集する汚れ情報収集手段と；
上記汚れ情報収集手段が収集した上記情報に応じて、汚れの進行度合いを上記トンネルの長さ方向の順に表示する汚れ表示手段と；
を有することを特徴とするトンネルの防災システム。
【請求項３】
請求項２において、
上記防災受信盤は、上記汚れ情報収集手段が収集した上記受光ガラスの汚れに基づく情報に応じて、上記受光ガラスの清掃を指示する清掃指示手段を有することを特徴とするトンネルの防災システム。
【発明の詳細な説明】
【０００１】
【発明の属する技術分野】
本発明は、高速道路等の道路用トンネルの防災システムに関する。
【０００２】
【従来の技術】
従来の高速道路等の道路用トンネルの防災システムは、信号線を介して防災受信盤に複数の火災検知器が接続され、上記火災検知器のそれぞれに受光ガラスが設けられ、この受光ガラスを介して、上記火災検知器が火災に基づく環境変化を検出する。
【０００３】
そして、時間の経過とともに受光ガラスの汚れが増加するので、一定の期間毎に受光ガラスを清掃するようにしている。
【０００４】
【発明が解決しようとする課題】
しかし、上記従来例では、一定の期間毎に受光ガラスを清掃するようにしているので、その受光ガラスの汚れが少なければ、無駄に清掃していることになるという問題がある。
【０００５】
本発明は、受光ガラスを効率よく清掃することができる防災システムを提供することを目的とするものである。
【０００６】
【課題を解決するための手段】
本発明は、信号線を介して防災受信盤に複数の火災検知器が接続されている防災システムにおいて、受光ガラスを介して、火災に基づく環境変化を検出する火災検出手段と、上記受光ガラスの汚れ度合いを検出し、上記検出された汚れ度合いに応じたレベルを出力する汚れ検出手段と、上記汚れ検出手段が出力したレベルを所定の閾値と比較し、上記汚れ検出手段が出力したレベルが上記所定の閾値よりも高いときに、汚れ警報信号を出力する比較手段と、上記閾値が格納され、しかも上記格納されている閾値を変更することが可能な閾値設定手段とを有し、上記閾値設定手段は、第１の閾値と、上記第１の閾値よりも低い第２の閾値とを格納してある手段であり、上記比較手段は、上記汚れ度合いに応じたレベルが上記第１の閾値を越えているときに、汚れ警報信号を出力し、上記汚れ度合いに応じたレベルが、上記第２の閾値を超えしかも上記第１の閾値以下であるときに、汚れ予報信号を出力する手段であり、また、上記閾値設定手段は、上記第１の閾値が固定的に格納され、上記第２の閾値を変更することが可能であり、上記防災受信盤に上記第２の閾値を変更する入力があるときに変更命令を受けて上記第２の閾値を格納する手段である火災検知器である。
【０００７】
【発明の実施の形態および実施例】
図１は、本発明の一実施例であるトンネルの防災システム１００を示すブロック図である。
【０００８】
トンネルの防災システム１００は、防災受信盤ＲＥと、個別にアドレスが付与されている複数の火災検知器ＳＥ１、ＳＥ２、……、ＳＥｎと、防災受信盤ＲＥと複数の火災検知器ＳＥ１、ＳＥ２、……、ＳＥｎとを接続する信号線Ｌとを有する。
【０００９】
防災受信盤ＲＥは、マイクロコンピュータ１０と、ＲＯＭ１１と、ＲＡＭ１２と、ディスプレイ１３と、代表表示部１４と、入力装置１５と、送受信部１６と、複数のインタフェースＩ／Ｆとを有する。
【００１０】
マイクロコンピュータ１０は、防災受信盤ＲＥの全体を制御するものである。また、マイクロコンピュータ１０は、上記アドレスに基づいて上記各火災検知器を個別に識別するとともに、上記各火災検知器から火災に基づく情報を収集する火災情報収集手段の例であり、上記各火災検知器から、後述する受光ガラス２２の汚れに基づく情報を収集する汚れ情報収集手段の例である。
【００１１】
ＲＯＭ１１は、プログラムや伝送上の端末機器の情報をデータベースとして格納している記憶領域である。
【００１２】
ＲＡＭ１２は、火災検知器ＳＥ１、ＳＥ２、……、ＳＥｎの監視状態や設定変更事項等、動作中の保持事項を格納している領域であるとともに、作業用の記憶領域である。
【００１３】
ディスプレイ１３は、火災情報等を詳細に表示するためのＣＲＴやＬＣＤ等による画面表示装置であり、上記汚れ情報収集手段が収集した上記情報に応じて、汚れの進行度合いを表示する汚れ表示手段の例である。
【００１４】
代表表示部１４は、防災システム１００の状態として火災や異常等の注意情報を一括してＬＥＤ表示する装置である。
【００１５】
入力装置１５は、操作のためのキーボード等の入力装置である。
【００１６】
火災検知器ＳＥ１は、マイクロコンピュータ２０と、発光素子２１と、受光ガラス２２と、受光素子２３と、ＲＯＭ２４と、ＲＡＭ２５と、表示灯２６と、送受信部２７とを有する。
【００１７】
マイクロコンピュータ２０は、火災検知器ＳＥ１の全体を制御するものである。
【００１８】
発光素子２１は、受光素子２３を覆う受光ガラス２２の光透過率を測定するために、受光素子２３に向けて発光し、所定の間隔で設置され、ＬＥＤなどで構成されている。
【００１９】
受光ガラス２２は、火災検知器ＳＥ１を構成するもののうちで、発光素子２１、受光ガラス２２を除いたものを覆うものである。
【００２０】
受光素子２３は、受光ガラス２２の左右に１つづつ設けられ、焦電素子、フォトダイオード等によって構成されている。
【００２１】
ＲＯＭ２４は、図５、図６に示すフローチャートに対応するプログラムを格納してあるとともに、各種設定を格納してある記憶領域である。
【００２２】
ＲＡＭ２５は、監視状態の情報や設定変更事項の情報等、動作中の保持事項を格納する領域であるとともに、作業用の記憶領域である。
【００２３】
表示灯２６は、炎検知時に点灯され、ＬＥＤ等によって構成されている。
【００２４】
送受信部２７は、信号線Ｌを介して防災受信盤ＲＥからの信号受信および防災受信盤ＲＥへの信号送信を行う部分である。
【００２５】
なお、火災検知器ＳＥ２、……、ＳＥｎの構成は、火災検知器ＳＥ１の構成と同様である。
【００２６】
火災検知器ＳＥ１〜ＳＥｎとして、炎を検出するものを用いているが、火災検知器ＳＥ１〜ＳＥｎは、通常、トンネル壁面に配置され、約９０度の視野を持つ受光素子を２つ用い、ほぼ１８０度の監視角度を有し、また、たとえば左右に２５ｍピッチに監視する必要がある。したがって、火災検知器ＳＥ１〜ＳＥｎのそれぞれは、火災検知動作を左右別個に行っている。また、詳細には示さないが、火災検知器ＳＥ１〜ＳＥｎは、炎検知の方式として赤外領域の２つの異なる波長の出力を比較し、誤報要因を排除する、いわゆる２波長式の炎検知動作を行うものである。
【００２７】
また、火災検知器ＳＥ１〜ＳＥｎのそれぞれには、信号伝送時にそれぞれを特定するために、個別のアドレスが付与されている。図１では、アドレス１、２〜ｎまでを示してあるが、トンネルに必要な任意の個数ｎまで付与すれば足りるが、システムによる最大アドレス（たとえば２５０アドレス）を超えることはできない。
【００２８】
次に、上記実施例における伝送フォーマットについて説明する。
【００２９】
図２は、上記実施例において使用する第１の伝送フォーマットを示す図である。
【００３０】
図２において、信号線Ｌ間の電圧等を変動させることによって、「０」、「１」を表わし、これを信号波形として使用するものであるが、便宜上、中心に描かれている横方向の矢印の上側に、防災受信盤ＲＥから火災検知器ＳＥ１〜ＳＥｎへ向かう信号が示され、上記横方向の矢印の下側に、火災検知器ＳＥ１〜ＳＥｎから防災受信盤ＲＥへ向かう信号が示されている。
【００３１】
また、防災受信盤ＲＥと火災検知器との間における１回の信号のやり取りを１フレームとし、この１フレームにおいて、防災受信盤ＲＥが出力するアドレス指定ＡＤｎ、コマンドＣＭｍと、火災検知器が出力する自己アドレスＡＤｎ、応答信号ＮＯＲ等とが発生する。なお、図２において、スタートビットやチェックサム用データ等を省略して示してある。
【００３２】
次に、上記実施例の動作について説明する。
【００３３】
通常、図２(１)に示すように、防災受信盤ＲＥが、アドレス順に状態情報返送命令ＣＭ１を送出し、各火災検知器から通常の監視状態を示す応答信号ＮＯＲが返送される。そして、アドレスが最終ｎに達すると、アドレス１から再度送出し、順次循環的に送出する。
【００３４】
そして、火災発生時に、火災検知器は、防災受信盤ＲＥからの信号に応答するときに、図２(２)に示すように、火災発生を示す応答信号Ｆ（Ｌ）を返送する。ここで、応答信号Ｆ（Ｌ）中の「Ｌ」は、左側で火災検知したことを示し、右側で火災検知すれば、火災発生を示す応答信号Ｆ（Ｒ）を出力し、つまり、火災発生を示す応答信号に、左右いずれで火災検知したかを示す信号が含まれている。
【００３５】
同様に、汚れ検知時には、図２(３)に示すように、汚れ検知を示す応答信号Ｄ（Ｒ）を、また、汚れ予報検知時には、図２(４)に示すように、汚れ予報を示す応答信号Ｐ（Ｒ）を返送する。ここで、火災と汚れとは別個に検知されるが、火災検知時には、汚れ警報よりも優先して応答される。
【００３６】
そして、防災受信盤ＲＥに汚れ予報を判別するレベルを変更する入力があるときに、防災受信盤ＲＥは、図２(５)に示すように、指定されたアドレスの火災検知器（図ではアドレス１）に予報レベル変更命令ＣＭ２を送出し、同時にそのレベルを示すデータＰＳを送出する。このときに、変更命令ＣＭ２を受けた火災検知器は、データＰＳを予報レベルとして認識することができる。
【００３７】
また、防災受信盤ＲＥに対して特定の火災検知器の予報レベルを確認する入力がされると、図２（６）に示すように、防災受信盤ＲＥは、指定されたアドレスの火災検知器に予報レベル返送命令ＣＭ３を送出し、この予報レベル返送命令ＣＭ３を受けた火災検知器は、現在設定している予報レベルを返送することによって、設定状況を確認することができる。
【００３８】
図３は、上記実施例において使用することができる第２の伝送フォーマットを示す図である。
【００３９】
上記第１の伝送フォーマットでは、炎の存在を火災検知器ＳＥ１〜ＳＥｎで判別し、防災受信盤ＲＥが火災検知器ＳＥ１〜ＳＥｎの状態を収集しているが、図３に示す第２の伝送フォーマットでは、炎の存在を防災受信盤ＲＥが判別し、したがって、火災検知器ＳＥ１〜ＳＥｎは、検出レベル（アナログ値）を送出し、いわゆるアナログ式のシステムを構成している。
【００４０】
上記第１の伝送フォーマットと同様、便宜上、中心に描かれている横方向の矢印の上側に、防災受信盤ＲＥから火災検知器ＳＥ１〜ＳＥｎへ向かう信号が示され、上記横方向の矢印の下側に、火災検知器ＳＥ１〜ＳＥｎから防災受信盤ＲＥへ向かう信号が示されている。
【００４１】
また、防災受信盤ＲＥと火災検知器との間における１回の信号のやり取りを１フレームとし、この１フレームにおいて、防災受信盤ＲＥが出力するアドレス指定ＡＤｎ、コマンドＣＭｍと、火災検知器が出力する自己アドレスＡＤｎ、応答信号ＡＬ（Ｒ）、ＡＬ（Ｌ）とが発生する。なお、応答信号ＡＬ（Ｒ）、ＡＬ（Ｌ）は、それぞれ、右、左用のアナログ値の応答信号である。図３において、スタートビットやチェックサム用データ等を省略して示してある。
【００４２】
次に、図３に示す第２の伝送フォーマットについて説明する。
【００４３】
図３(１)に示すように、通常、防災受信盤ＲＥからアドレス順に順次循環的にデータ返送命令ＣＭ１を送出し、火災検知器ＳＥ１〜ＳＥｎのそれぞれから検出レベルとして左右のアナログ値ＡＬ（Ｒ）、ＡＬ（Ｌ）が返送される。
【００４４】
これと同様に、汚れ検知の場合には、図３(２)に示すように、汚れレベルである汚れのアナログ値ＤＬ（Ｒ）、ＤＬ（Ｌ）を収集するために、防災受信盤ＲＥが、汚れ情報返送命令ＣＭ２を送出し、火災検知器ＳＥ１〜ＳＥｎのそれぞれからアドレス順に、左右の汚れのアナログ値を収集する。そして、これら収集されたアナログ値に基づいて、炎検知、汚れ警報の判別が防災受信盤ＲＥにおいて行われる。
【００４５】
そして、防災受信盤ＲＥに汚れ予報の判別するレベルを変更する入力があると、防災受信盤ＲＥは、自己の有する予報レベルを書き換え、したがって、その予報レベルを設定したり、変更することが容易である。
【００４６】
図４は、上記実施例において使用することができる第３の伝送フォーマットを示す図である。
【００４７】
第３の伝送フォーマットは、第２の伝送フォーマットと同様にアナログ式のシステムであるが、炎に関する検出レベルと汚れの検出レベルとを常時、同時に返送している点が、第２の伝送フォーマットとは異なる。判別方式等は、上記第２の伝送フォーマットの場合と同じであるので、その説明を省略する。
【００４８】
次に、上記実施例の動作について説明する。
【００４９】
図５は、上記実施例において、上記第１の伝送フォーマットを使用した場合における動作を示すフローチャートである。
【００５０】
起動後初期設定（Ｓ１）した後、所定の検出周期のタイミングにおける対応する炎の監視動作(Ｓ２、Ｓ３)、または防災受信盤ＲＥからの信号受信によって防災受信盤ＲＥへの返送動作を行う。
【００５１】
信号を受信すると（Ｓ４）、まず、信号に添付されたアドレスが自己アドレスと一致するか否かを確認し、一致していなければ（Ｓ５）、返送動作の処理を終了する。一方、信号に添付されたアドレスが自己アドレスと一致すれば（Ｓ５）、コマンドを識別し、コマンドに対応する情報返送動作を行う。
【００５２】
まず、状態情報返送命令ＣＭ１の場合には（Ｓ６）、現在の状態を読み出し（Ｓ７）、正常の応答信号ＮＯＲが返送されている。アドレスが最終ｎまで行くと、次には再度アドレス１から送出して順次循環的に送出するようになっている。そして、火災発生時には火災検知器は、防災受信盤ＲＥからの信号に応答するときに、火災発生を示す応答信号Ｆ（Ｌ）を返送する。この場合、火災検知のときに左右いずれかを区別できる信号を用いている。同様に、汚れ検知時には汚れ検知を示す応答信号Ｄ（Ｒ）を、また、汚れ予報検知時には汚れ予報を示す応答信号Ｐ（Ｒ）を返送する（Ｓ８）。ここで、火災と汚れとは別個に検知されるが、火災検知時には汚れ警報よりも優先して火災信号が応答される。
【００５３】
そして、防災受信盤ＲＥに汚れ予報の判別するレベルを変更する入力があると、防災受信盤ＲＥは、指定されたアドレス（図では、アドレス１）の火災検知器に予報レベル変更命令ＣＭ２を送出し、同時にそのレベルを示すデータ（レベル閾値）ＰＳを送出する。
【００５４】
このときに、変更命令ＣＭ２を受けた火災検知器は（Ｓ１６）、データＰＳを予報レベルとして認識することができ、ＲＡＭ２５の所定位置に予報レベルとしてデータＰＳを格納し（Ｓ１７）、そのデータを返送する（Ｓ１８）。
【００５５】
また、防災受信盤ＲＥに対して特定の火災検知器の予報レベルを確認する入力がされる。防災受信盤ＲＥは、指定されたアドレスの火災検知器に予報レベル返送命令ＣＭ３を送出し、この返送された予報レベル返送命令ＣＭ３を受けた火災検知器は（Ｓ２６）、現在設定している予報レベルＰＳをＲＡＭ２５から読み出して返送することによって、設定状況を確認することができる（Ｓ２７、Ｓ２８）。
【００５６】
上記動作は、第２の伝送フォーマット、第３の伝送フォーマットを使用した場合にも応用でき、これらの場合には、炎検出のアナログ値を返送するか、汚れ検出のアナログ値を返送するかを、コマンドによって区別して返送すればよい。
【００５７】
次に、上記実施例において、所定の検出周期のタイミングにおける炎の監視動作について説明する。
【００５８】
図６は、上記実施例における監視動作（Ｓ３）を具体的に示すフローチャートである。
【００５９】
検出周期になると（Ｓ３１、Ｓ３２）、受光素子の受光出力をサンプリングしてＬとし（Ｓ３３）、汚れの状態でそのＬを補正し、アナログ値ＡＬとする（Ｌ/（１-ＤＬ）→ＡＬ、このとき左右別個に行う）（Ｓ３４）。そして、火災レベルＦＳを読み出し、そのアナログ値ＡＬと比較し（Ｓ３５）、アナログ値ＡＬが大きいと、火災と判断し、表示灯２６を点灯するとともに、ＲＡＭ２５の所定の位置に火災状態を書き込む（Ｓ３６）。この火災状態は、防災受信盤ＲＥからの状態情報返送命令を受けたときに火災状態を示す信号として返送される。
【００６０】
このサンプリングを行う回数ｓを計数し、所定の回数Ｓ毎に（１日１回程度、盤からの命令で実行してもよい）（Ｓ３２）、汚れ検知を行う。そのときは、汚れ検知動作として、受光ガラス２２を挟んで発光素子２１を発光させ、受光素子２３に入力するとともに、その受光ガラス２２を挟んだ受光素子２３の出力をサンプリングしてＶとし（Ｓ４２）、当初のＶ0と比較して減光率ＤＬを算出する（Ｓ４３）。なお、Ｖ0は、工場出荷時に調整された固定値であり、また清掃直後にとったレベルをＶ0と扱ってよいが、前記固定値から所定の範囲にあることを確認すべきである。
【００６１】
そして、汚れレベルＤＳを読み出し（Ｓ４４）、予報レベルＰＳを読み出し（Ｓ４５）、その汚れのアナログ値（減光率）ＤＬと比較し、ＤＬの大きさによって、ＲＡＭ２５の所定の位置に汚れ状態または予報状態を書き込む（Ｓ４６、Ｓ５３）。この状態については、火災状態と同様にして防災受信盤ＲＥに返送される。
【００６２】
上記監視動作は、第２の伝送フォーマット、第３の伝送フォーマットにも応用でき、これらの例の場合には、状態の情報をＲＡＭ２５に格納するのではなく、アナログ値ＡＬ、ＤＬをそのまま格納しておき、防災受信盤ＲＥに返送すればよい。そして、同様の各種レベルとの比較は、防災受信盤ＲＥにおいて行うことになる。
【００６３】
つまり、上記実施例は、信号線を介して防災受信盤ＲＥに複数の火災検知器が接続されている防災システムにおいて、受光ガラスを介して、火災に基づく環境変化を検出する火災検出手段と、上記受光ガラスの汚れ度合いを検出し、上記検出された汚れ度合いに応じたレベルを出力する汚れ検出手段と、上記汚れ検出手段が出力したレベルを所定の閾値と比較し、上記汚れ検出手段が出力したレベルが上記所定の閾値よりも高いときに、汚れ警報信号を出力する比較手段と、上記閾値が格納され、しかも上記格納されている閾値を変更することが可能な閾値設定手段とを有する火災検知器の例である。
【００６４】
この場合、上記閾値設定手段は、第１の閾値と、上記第１の閾値よりも低い第２の閾値とを格納してある手段であり、上記比較手段は、上記汚れ度合いに応じたレベルが上記第１の閾値を越えているときに、汚れ警報信号を出力し、上記汚れ度合いに応じたレベルが、上記第２の閾値を超えしかも上記第１の閾値以下であるときに、汚れ予報信号を出力する手段であるとしてもよい。
【００６５】
また、上記比較手段は、上記汚れ度合いに応じたレベルが上記第１の閾値を越えている場合、直前に汚れ予報信号を出力していなければ、上記汚れ警報信号を出力せずに、上記汚れ予報信号を出力する手段であるとしてもよい。
【００６６】
さらに、上記閾値設定手段は、上記第２の閾値を変更することが可能であるが、上記第１の閾値が固定的に（変更されずに）格納されている手段であるとしてもよい。
【００６７】
図７は、上記実施例において、防災受信盤ＲＥが収集した各火災検知器の汚れ情報を表示する表の一例を示す図である。
【００６８】
図７に示す表は、汚れの進行度合いを表示する表であり、「・」が、正常状態(汚れが存在しないか、存在していても少ない状態)を示し、「Ｐ」が、汚れ予報が出ている状態を示し、「Ｄ」が、汚れ警報が出ている状態を示す。
【００６９】
図７において、アドレス４が付与されている検知器に着目すると、ｍ月５日、６日に汚れ予報が出たが、その後、４日間、汚れ予報が消えている。これは、汚れ予報が出た後に、付着していた汚れが受光ガラス２２から落下したためである。
【００７０】
図８は、上記実施例において、汚れに関するアナログ情報を表示する表の一例を示す図である。
【００７１】
図８に示す表は、感知器毎に、減光率をグラフで示したものである。図８に示す代わりに、棒グラフ、折れ線グラフで示すようにしてもよい。また、検知器毎に、その履歴を表示するようにしてもよい。さらに、三次元的に奥に最近の汚れに関するアナログ情報を表示するように、重ねて表示してもよい。
【００７２】
図７、図８に示す表は、各火災検知器から受信した汚れ情報を、アドレス順に並べることで、上記トンネルの長さ方向の順に表示したものであり、トンネル内における汚れの分布を容易に把握することができる。また、防災受信盤ＲＥは、受光ガラス２２の汚れに基づく情報に応じて、受光ガラス２２の清掃を指示する清掃指示手段を有するようにしてもよい。
【００７３】
なお、（汚れのアナログ値の合計）／(火災検知器の個数)＝汚れの平均値の式によって、汚れの平均値を求め、この求められた汚れの平均値が所定のレベル以上になったときに、清掃指示を行うようにしてもよい。
【００７４】
上記実施例における各表示の形態は、火災検知器の左右を表していないが、汚れ易い方向に基づいて、一方のみを表示するようにしてもよい。好ましくは、左右切換表示ができればよい。さらに、汚れ度合の高い方を自動的に選択して表示するようにしてもよい。
【００７５】
つまり、上記実施例は、信号線を介して防災受信盤ＲＥに複数の火災検知器が接続されている防災システムにおいて、上記各火災検知器は、火災に基づく情報を検出する火災検出手段と、受光ガラスの汚れ度合いを検出する汚れ検出手段と、トンネルの長さ方向に沿って、上記各火災検知器に順番に個別に設定されているアドレスを格納するアドレス格納手段とを有し、一方、防災受信盤ＲＥは、上記アドレスに基づいて上記各火災検知器を個別に識別するとともに、上記各火災検知器から火災に基づく情報を収集する火災情報収集手段と、上記各火災検知器から、上記受光ガラスの汚れに基づく情報を収集する汚れ情報収集手段と、上記汚れ情報収集手段が収集した上記情報に応じて、汚れの進行度合いを表示する汚れ表示手段とを有するトンネルの防災システムの例である。
【００７６】
以上のように、トンネル内の汚れ易い位置に設置されている検知器からの汚れ警報をゆっくり発生させることによって、全体的に汚れが進行してから警報を発生させることができ、したがって、一部の検知器の汚れによって生じるトンネルの片面規制を防止することができる。また、アドレス順に汚れの情報を表示することによって、トンネル全体の汚れ度合や汚れ傾向を把握することができる。
【００７７】
【発明の効果】
本発明によれば、受光ガラスを効率よく清掃することができるという効果を奏する。
【図面の簡単な説明】
【図１】本発明の一実施例であるトンネルの防災システム１００を示すブロック図である。
【図２】上記実施例において使用する第１の伝送フォーマットを示す図である。
【図３】上記実施例において使用することができる第２の伝送フォーマットを示す図である。
【図４】上記実施例において使用することができる第３の伝送フォーマットを示す図である。
【図５】上記実施例において、上記第１の伝送フォーマットを使用した場合における動作を示すフローチャートである。
【図６】上記実施例における監視動作（Ｓ３）を具体的に示すフローチャートである。
【図７】上記実施例において、汚れ情報を表示する表の一例を示す図である。
【図８】上記実施例において、汚れに関するアナログ情報を表示する表の一例を示す図である。
【符号の説明】
１００…トンネルの防災システム、
ＲＥ…防災受信盤、
１０…マイクロコンピュータ、
１３…ディスプレイ、
ＳＥ１〜ＳＥｎ…火災検知器、
２１…発光素子、
２２…受光ガラス、
２３…受光素子。
【図１】
0003741404.tif 000002
【図２】
0003741404.tif 000003
【図３】
0003741404.tif 000004
【図４】
0003741404.tif 000005
【図５】
0003741404.tif 000006
【図６】
0003741404.tif 000007
【図７】
0003741404.tif 000008
【図８】
0003741404.tif 000009